【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
通信装置であって、
第１通信方式で無線通信を行う第１通信手段と、
前記第１通信方式よりも通信速度が速い、或は通信可能距離が長い第２通信方式で無線通信を行う第２通信手段と、
前記第１通信手段で他の通信装置と接続した場合、前記第１通信手段で前記他の通信装置から受信した識別情報に基づいて、前記第２通信手段で接続中の第１無線ネットワークにおいて前記他の通信装置と通信が可能であるか否かを判定する判定手段と、
前記第１無線ネットワークにおいて前記他の通信装置と通信が可能ではないと前記判定手段により判定された場合、前記第１無線ネットワークと異なる第２無線ネットワークで通信することを指示するための情報を前記第１通信手段により送信する送信手段と、
前記送信手段により前記情報を送信した場合、前記第２通信手段に前記第２無線ネットワークで前記他の通信装置と通信させ、
前記第１無線ネットワークにおいて前記他の通信装置と通信が可能であると前記判定手段により判定された場合、前記第２通信手段に前記第１無線ネットワークで前記他の通信装置と通信させる制御手段と、
を有することを特徴とする通信装置。
【請求項２】
前記判定手段は、前記第１通信手段で前記他の通信装置から受信した前記他の通信装置の識別情報に基づいて、前記の第１無線ネットワークにおいて前記他の通信装置と通信が可能であるか否かを判定することを特徴とする請求項１に記載の通信装置。
【請求項３】
前記第２無線ネットワークは、前記通信装置と前記他の通信装置とが直接通信する無線ネットワークであることを特徴とする請求項１または２に記載の通信装置。
【請求項４】
前記送信手段により前記情報を送信した場合、前記第１通信手段により前記他の通信装置と通信した接続先パラメータに基づいて、前記第２無線ネットワークで前記他の通信装置と通信することを特徴とする請求項１から３のいずれか１項に記載の通信装置。
【請求項５】
前記第２通信手段は、前記第１無線ネットワークまたは前記第２無線ネットワークを介して前記他の通信装置と印刷データを通信することを特徴とする請求項１から４のいずれか１項に記載の通信装置。
【請求項６】
前記送信手段により送信される情報は、通信モードの切り替えを指示するための情報であることを特徴とする請求項１から５のいずれか１項に記載の通信装置。
【請求項７】
前記判定手段は、前記第１通信手段で前記他の通信装置から受信した前記他の通信装置のＭＡＣアドレス、ＵＵＩＤまたはＩＰアドレスに基づいて、前記の第１無線ネットワークにおいて前記他の通信装置と通信が可能であるか否かを判定することを特徴とする請求項１から５のいずれか１項に記載の通信装置。
【請求項８】
前記第１無線ネットワークは、アクセスポイントを介した通信を行う無線ネットワークであることを特徴とする請求項１から７のいずれか１項に記載の通信装置。
【請求項９】
前記第１通信手段で前記他の通信装置と接続した場合、前記第１通信手段は、前記他の通信装置が実行可能なサービスに関する情報を含む通信要求を前記他の通信装置から受信することを特徴とする請求項１から８のいずれか１項に記載の通信装置。
【請求項１０】
前記通信要求に含まれる前記他の通信装置が実行可能なサービスに関する情報により示されるサービスを前記通信装置が実行可能ではない場合、前記第１通信手段は、前記通信要求に従わないことを示す応答を送信することを特徴とする請求項９に記載の通信装置。
【請求項１１】
前記第１通信手段で前記他の通信装置と接続した場合に前記他の通信装置から受信した情報に前記識別情報が含まれていない場合、前記他の通信装置から受信した情報に含まれる接続パラメータが示す無線ネットワークで前記他の通信装置と通信することを特徴とする請求項１から１０のいずれか１項に記載の通信装置。
【請求項１２】
通信装置であって、
第１通信方式で無線通信を行う第１通信手段と、
前記第１通信方式よりも通信速度が速い、或は通信可能距離が長い第２通信方式で無線通信を行う第２通信手段と、
前記第１通信手段で他の通信装置と接続した場合、前記第１通信手段により前記通信装置の識別情報を前記他の通信装置に送信する送信手段と、
アクセスポイントを介した通信を行う第１無線ネットワークと異なる第２無線ネットワークで通信することを指示するための情報を前記第１通信手段により前記他の通信装置から受信する受信手段と、
前記第１通信手段で前記他の通信装置と接続した際に前記第２通信手段で前記第１無線ネットワークに接続している場合において、
前記送信手段による送信の後に前記受信手段による前記情報の受信が行われた場合、前記第２通信手段に前記第２無線ネットワークで前記他の通信装置と通信させ、
前記送信手段による送信の後に前記受信手段による前記情報の受信が行われなかった場合、前記第１無線ネットワークで前記第２通信手段に前記他の通信装置と通信させる制御手段と、
を有することを特徴とする通信装置。
【請求項１３】
前記第２通信手段は、前記第１無線ネットワークまたは前記第２無線ネットワークを介して前記他の通信装置と印刷データを通信することを特徴とする請求項１２に記載の通信装置。
【請求項１４】
前記受信手段により受信される前記情報は、通信モードの切り替えを指示するための情報であることを特徴とする請求項１２または１３に記載の通信装置。
【請求項１５】
前記送信手段は、前記通信装置のＭＡＣアドレス、ＵＵＩＤまたはＩＰアドレスを前記他の通信装置に送信することを特徴とする請求項１２から１４のいずれか１項に記載の通信装置。
【請求項１６】
前記第１通信方式は、Ｎｅａｒ  Ｆｉｅｌｄ  Ｃｏｍｍｕｎｉｃａｔｉｏｎであることを特徴とする請求項１から１５のいずれか１項に記載の通信装置。
【請求項１７】
前記第１通信手段で前記他の通信装置と接続した際に前記第２通信手段で前記第１無線ネットワークに接続している場合、前記第１通信手段は、前記第１無線ネットワークに接続していることを示す情報を前記他の通信装置に送信することを特徴とする請求項１から１６のいずれか１項に記載の通信装置。
【請求項１８】
前記第２通信方式は、ＩＥＥＥ８０２．１１シリーズであることを特徴とする請求項１から１７のいずれか１項に記載の通信装置。
【請求項１９】
第１通信方式で無線通信を行う第１通信手段と、
前記第１通信方式よりも通信速度が速い、或は通信可能距離が長い第２通信方式で無線通信を行う第２通信手段と、
を有する通信装置の制御方法であって、
前記第１通信手段で他の通信装置と接続した場合、前記第１通信手段で前記他の通信装置から受信した識別情報に基づいて、前記第２通信手段で接続中の第１無線ネットワークにおいて前記他の通信装置と通信が可能であるか否かを判定する判定工程と、
前記第１無線ネットワークにおいて前記他の通信装置と通信が可能ではないと前記判定工程において判定された場合、前記第１無線ネットワークと異なる第２無線ネットワークで通信することを指示するための情報を前記第１通信手段により送信する送信工程と、
前記送信工程において前記情報が送信された場合、前記第２通信手段に前記第２無線ネットワークで前記他の通信装置と通信させ、
前記第１無線ネットワークにおいて前記他の通信装置と通信が可能であると前記判定工程において判定された場合、前記第２通信手段に前記第１無線ネットワークで前記他の通信装置と通信させる制御工程と、
を有することを特徴とする通信装置の制御方法。
【請求項２０】
第１通信方式で無線通信を行う第１通信手段と、
前記第１通信方式よりも通信速度が速い、或は通信可能距離が長い第２通信方式で無線通信を行う第２通信手段と、
を有する通信装置の制御方法であって、
前記第１通信手段で他の通信装置と接続した場合、前記第１通信手段により前記通信装置の識別情報を前記他の通信装置に送信する送信工程と、
アクセスポイントを介した通信を行う第１無線ネットワークと異なる第２無線ネットワークで通信することを指示するための情報を前記第１通信手段により前記他の通信装置から受信する受信工程と、
前記第１通信手段で前記他の通信装置と接続した際に前記第２通信手段で前記第１無線ネットワークに接続している場合において、
前記送信工程における送信の後に前記受信工程における前記情報の受信が行われた場合、前記第２通信手段に前記第２無線ネットワークで前記他の通信装置と通信させ、
前記送信工程における送信の後に前記受信工程における前記情報の受信が行われなかった場合、前記第１無線ネットワークで前記第２通信手段に前記他の通信装置と通信させる制御工程と、
を有することを特徴とする通信装置の制御方法。
【請求項２１】
請求項１から１８のいずれか１項の通信装置としてコンピュータを動作させるためのプログラム。
【手続補正２】
【補正対象書類名】明細書
【補正対象項目名】０００７
【補正方法】変更
【補正の内容】
【０００７】
上記課題を解決するため、本発明の一態様による通信装置は、以下の構成を有する。すなわち、  第１通信方式で無線通信を行う第１通信手段と、前記第１通信方式よりも通信速度が速い、或は通信可能距離が長い第２通信方式で無線通信を行う第２通信手段と、前記第１通信手段で他の通信装置と接続した場合、前記第１通信手段で前記他の通信装置から受信した識別情報に基づいて、前記第２通信手段で接続中の第１無線ネットワークにおいて前記他の通信装置と通信が可能であるか否かを判定する判定手段と、前記第１無線ネットワークにおいて前記他の通信装置と通信が可能ではないと前記判定手段により判定された場合、前記第１無線ネットワークと異なる第２無線ネットワークで通信することを指示するための情報を前記第１通信手段により送信する送信手段と、前記送信手段により前記情報を送信した場合、前記第２通信手段に前記第２無線ネットワークで前記他の通信装置と通信させ、前記第１無線ネットワークにおいて前記他の通信装置と通信が可能であると前記判定手段により判定された場合、前記第２通信手段に前記第１無線ネットワークで前記他の通信装置と通信させる制御手段と、を有する。